(57)【特許請求の範囲】
【請求項１】
金型に関連して取り付けられる固定手段と、揺動角調整軸、駆動軸を備えた固定ベースと、揺動角調整軸の偏心位置を固定する揺動角調整固定ネジと、揺動角調整軸を支点として駆動軸によって揺動されるようスプレーノズルを支持している連結片と、駆動軸を回転させるため固定ベースに取り付けられた駆動源とを備えたことを特徴とする固定スプレー揺動装置。
【請求項２】
前記揺動角調整軸は偏心した位置に回転中心を有し中心に軸部を備える請求項１記載の固定スプレー揺動装置。
【請求項３】
前記駆動軸は中心に回転中心を有し偏心した位置に軸部を備える請求項１または２記載の固定スプレー揺動装置。
【請求項４】
前記連結片の先端から連結片に対して垂直に延びる保持軸と、該保持軸上にノズルを固定するためのハンドルとを備える請求項１乃至３のいずれか記載の固定スプレー揺動装置。
【発明の詳細な説明】
【０００１】
【発明の属する技術分野】
本発明はスプレーノズルを一定の範囲内で揺動可能な固定スプレー揺動装置に関し、更に詳しくは、スプレーノズルから金型成形面に噴射した離型剤等を均一に散布し、また金型成形面からの離型剤液等の垂れ落ちを防止する固定スプレー揺動装置に関する。
【０００２】
【従来の技術】
従来、金型への離型剤等の吹き付けは図６に示すように行われていた。金型を構成する金型の固定型１０１と可動型１０２とにおいて、それらの金型成形面に対してスプレーノズル１０３が向けられているスプレー装置１０４を例えば金型台７０等のＴ型スロット７１に取り付ける。そのスプレーノズル１０３の取り付けは、固定型１０１用の金型台には可動型１０２に向けたものとし、可動型１０２用の金型台には固定型１０１に向けたものとした状態で固定してあり、固定型１０１、可動型１０２夫々が型開きしたときに夫々の金型成形面に離型剤等１０５が噴射塗布されるようにしてある。そして、離型剤等１０５を金型成形面にむらなく十分に塗布するようにスプレーノズル１０３から噴射される離型剤等１０５の量を多くしている。
【０００３】
【発明が解決しようとする課題】
ところが離型剤等１０５の噴射量を多くしても、互いに向き合わせて配置されるようになるスプレーノズル１０３夫々から離型剤等１０５を噴射するために離型剤等１０５が相互干渉を起こして飛散してしまうこともある。そのため、離型剤等１０５の大部分が塗布すべき金型成形面に到達せずにむらを生じることもある。その結果、塗布すべきでない金型成形面にも多量の離型剤等１０５が塗布され金型温度のバランスを崩したり、作業環境の悪化を招くことになる。
【０００４】
また、噴射量を多くすることによりスプレー時間が長くなり、金型の冷やし過ぎが生じて鋳造サイクルの遅延を招来する。さらに、塗布すべき金型成形面への塗布量が増え、また濃淡が生じて不均一となり金型成形面から離型剤等１０５が流れ落ちることもある。そうなると離型剤等１０５の無駄を招くと共に塗布すべきでないところに離型剤等１０５が流れ落ち、作業環境の悪化を招くことにもなる。このように、従来のスプレー装置１０４では離型剤等１０５を金型成形面に対して一斉に大量に噴射することしかできず、金型成形面への塗布量を制御するのが困難であり、また離型剤等１０５を噴射しながらスプレーノズル１０３の噴射方向を変えることも困難であった。
【０００５】
そこで本発明は叙上のような従来存した諸事情に鑑み創出されたもので、一定範囲で揺動するようにすることにより、スプレーノズルから噴射される離型剤等の量を多くすることなく、塗布すべき金型成形面に確実に離型剤等を塗布できるようにすることを目的とする。具体的には、塗布すべき金型成形面には所定量の離型剤等を塗布するよう、揺動するスプレーノズルによって均一に塗布し、余分な離型剤等が流れ落ちる（液垂れ）ことを防止できる固定スプレー揺動装置を提供することを目的とする。
【０００６】
【課題を解決するための手段】
上述した目的を達成するために、本発明にあっては、金型に関連して、例えば金型台（プラテン）その他の金型近傍位置で取り付けられる固定手段と、揺動角調整軸、駆動軸を備えた固定ベースと、揺動角調整軸の偏心位置を固定する揺動角調整固定ネジと、揺動角調整軸を支点として駆動軸によって揺動されるようスプレーノズルを支持している連結片と、駆動軸を回転させるため固定ベースに取り付けられた駆動源とを備えるものである。
また揺動角調整軸は偏心した位置に回転中心を有し中心に軸部を備えており、駆動軸は中心に回転中心を有し偏心した位置に軸部を備えて構成できる。
さらに連結片の先端から連結片に対して垂直に延びる保持軸（スプレーノズル固定棒）と、該保持軸上にノズルを固定するためのハンドルとを備える。
【０００７】
以上のように構成された本発明に係る固定スプレー揺動装置にあっては、スプレーノズルを２箇所で支持された連結片によって保持でき、２箇所の内の一方を支点とし、他方を回転させることで揺動する連結片によってスプレーノズルを揺動させる。このスプレーノズルが揺動する範囲内で離型剤等を噴射する構成である。
【０００８】
固定ベース上で揺動角調整軸と駆動軸とが協働することによって、揺動角調整軸を支点として駆動軸が回転することにより連結片を揺動し、連結片における揺動する範囲をスプレーノズルの噴射方向にする。この構成であればスプレーノズルを金型成形面の所定の範囲だけに向けることが可能になる。その結果、所定の範囲だけに離型剤を塗布することができ、余分な離型剤等の塗布を避けることができる。余分な離型剤等の塗布がなくなり、金型成形面から離型剤等の液が垂れ落ちることもない。
【０００９】
また、固定スプレー揺動装置の取付位置は金型台等のＴスロットが最も取り付けやすい位置である。具体的な取付方法としてはＴ型スロットに雌ねじを備えるＴ型材を圧入し、また雄ねじを有する固定棒に固定ナットをねじ込み固定しておき、この固定棒をＴ型材の雌ねじと噛み合わせると共に、固定ナットをＴ型材面に強く押し付け固定するというものである。この固定スプレー揺動装置は金型台の固定側に取り付け、可動側に向けるのが一般的であるが、逆に取り付けることも可能である。また固定スプレー揺動装置の取り付け位置はＴ型スロットの箇所に限定されるものではなく、金型成形面の形状に応じて金型台あるいは金型自体、金型台を支持する例えばダイカストマシーン自体、またその付属機器・部材等、更には金型に対して進退する各種のスプレーユニット等の任意の位置に取り付けることができる。ここで固定手段として固定棒を用いたが、本願では固定手段としてダイカストマシーン本体の一部その他を狭持するクランプ等であってもよく、これらの各種の取付手段が固定部材に含まれる。
【００１０】
駆動源として揺動エアモーターを用いた方がエアの有効利用を図れる。つまり主たるエア管から分岐することでスプレーノズルヘのエア供給と揺動エアモーターヘのエア供給とを同じに振り分けることで、離型剤等の噴射と揺動作動とを同期させることが可能になる。ただし揺動エアモーターの使用に限定されるものではなく、通常のモーターであっても同様の駆動を行うことができる。その場合にはエア管からエア供給がなくてもスプレーノズルから離型剤等の噴射と固定スプレー揺動装置の揺動とを同期させるようにしておく。
【００１１】
揺動角調整軸の本体の下部に対する揺動角調整固定ネジは本体の偏心した回転中心にねじ込まれ、本体上面の軸部は本体の中心位置にある。そのため揺動角調整軸自体は、揺動角調整固定ネジ位置が回転中心となって偏心状態で回転位相し、その回転中心の回りで軸部が偏心回転させることとなって揺動角調整軸による連結片に対する揺動中心の位置（支点の位置）を決めることになる。つまり揺動の中心となる支点の位置を金型成形面の形状に合わせて大きく変えることができる。そして軸部の位置が決まると揺動角調整軸自体をその本体に対して揺動角調整固定ネジにより固定する構成である。
【００１２】
また、駆動軸では、駆動軸を回転させる揺動エアモーターの回転軸を取り付ける回転軸取付穴は本体の下部の中心にあり、本体上面の軸部は偏心した位置に設けてある。揺動エアモーターを回転させると回転軸取付穴を中心に軸部が偏心回転する。その結果、揺動角調整軸の軸部を支点として、駆動軸の軸部が連結片を揺動させるよう連結片に対してスライドすることにより連結片が揺動することになる。以上のように連結片を揺動させることにより、離型剤等の噴射方向を一定の範囲にすることができる。さらに揺動の中心となる支点の位置を変えることにより、揺動範囲の設定にバリエーションを持つことができ、種々の金型成形面の形状に対して的確に離型剤等の塗布を可能にする。
【００１３】
また、揺動の中心となる支点の構成としては揺動角調整軸の軸部を揺動角調整軸の偏心位置に設ける構成を採ることもできる。この場合、連結片に対する揺動角調整軸の軸部が入る孔を長孔にし、揺動角調整軸を連結片の長手方向に移動して揺動の中心となる支点の位置を定めることになる。さらに、揺動角調整軸の軸部を偏心位置に設けずに本体の中心位置としておいて、揺動角調整軸自体を連結片に対して連結片の長さ方向に沿ってスライド調整、例えば揺動角調整固定ネジを含む全体をスライド調整して支点位置を変更調整できる。そして、スプレーノズルの取付位置を連結片の先端にすることによって、固定スプレー揺動装置の揺動範囲とスプレーノズルの揺動範囲も対応させ、固定スプレー揺動装置の揺動範囲を制御すれば、スプレーノズルの揺動範囲も制御できるようにした。
【００１４】
【発明の実施の形態】
以下、図面を参照して本発明の一実施の形態を説明する。本実施の形態の固定スプレー揺動装置１は固定手段２、揺動エアモーター１１、揺動角調整軸２１、駆動軸３１、連結片６０及びスプレーノズル５３から構成されている。固定手段２は固定スプレー揺動装置１を金型台（プラテン）７０その他の金型に関連した位置に取り付けるための手段である。また揺動エアモーター１１は駆動軸３１を回転させるための装置であり、駆動軸３１及び揺動角調整軸２１は協働して連結片６０を揺動させるための軸となっている。スプレーノズル５３は連結片６０の揺動により離型剤等の塗布を一定の範囲で行うことになる。
【００１５】
固定手段２は、図示のように例えば金型台７０のＴ型スロット７１に圧入されるＴ型材７２に形成されている雌ねじにねじ込まれる雄ねじを備えた固定棒から成る。すなわち固定棒に予めねじ止めされた固定ナット７３を、Ｔ型材７２にねじ入れた固定棒上で進行させＴ型材７２面に強く押し付けることで、固定棒を金型台７０面に対してほぼ直交させた状態で支持する。もとよりこの固定手段２はこのようなＴ型スロット７１を利用したネジ止め構造に限らず、金型自体に、あるいはダイカストマシーン本体に付設の各種パイプ類、スプレーユニット等にクランプ手段その他によって支持固定されることもある。
【００１６】
固定ベース７は固定手段２に一体的に形成されており、固定ベース７には第１取付孔３、第２取付孔４が設けられている。第１取付孔３上には揺動角調整軸２１が、第２取付孔４上には駆動軸３１が配置される。揺動角調整軸２１では本体２３の下部に、固定ベース７下方から第１取付孔３に貫挿する揺動角調整固定ネジ２４がねじ込まれるネジ穴を本体２３に対して偏心した位置に設けてあり、軸部２２は本体２３の上面の中心位置に設けてある（図３参照）。駆動軸３１では揺動エアモーター１１の出力軸である回転軸１２に嵌め合わせる回転軸取付穴３４が本体３２の下部における回転中心の中心の位置に設けてある。回転軸１２には本体３２の外部から挿入される軸止めネジ３５先端が押し付けられることで駆動軸３１を回転軸１２に固定するようになっており、駆動軸３１上面に回転中心から偏心した位置で軸部３４を設けてある（図４参照）。
【００１７】
すなわち揺動角調整固定ネジ２４を第１取付孔３に貫挿して、この第１取付孔３上に配置した揺動角調整軸２１をネジ止め固定している。その際、塗布すべき金型成形面８０の形状を考慮して揺動角調整軸２１における軸部２２の位置（揺動の支点位置）を定めるように、結果として軸部２２を偏心移動させるように揺動角調整軸２１自体を回転位相させることになる。
【００１８】
また固定ベース７の第２取付孔４には揺動エアモーター１１が固定的に組み込まれており、例えばネジ止め５されるクランプ構造によって挟み込まれることで固定されている。
【００１９】
揺動角調整軸２１と駆動軸３１とが協働することによって、駆動軸３１が回転することにより、揺動角調整軸２１を支点として揺動する連結片６０が揺動角調整軸２１と駆動軸３１との間で、これらに連繋されるようにして配置されている。連結片６０には揺動角調整軸２１の軸部２２によって支点位置が位置決めされる支点孔６１が設けられており、また支点孔６１の隣には駆動軸３１の軸部３３が入るための、連結片６０の長手方向に延びる長孔６２が設けられている。揺動角調整軸２１の軸部２２及び駆動軸３１の軸部３３は連結片６０の上面に配置されるワッシャ、Ｅリング等によって抜け止めが阻止されようにして連結片６０を支持させている。
【００２０】
また連結片６０の先端にはスプレーノズル固定棒５１が取り付けられている。スプレーノズル固定棒５１には、供給パイプ５４を備えたスプレーノズル５３を固定するためのクランプ構造の支持部を拡開、閉鎖するスプレーノズル固定ハンドル５２が取り付けられている。
【００２１】
揺動エアモーター１１の下部には揺動回転数調節ハンドル４１が設けられている。この揺動回転数調節ハンドル４１により揺動エアモーター１１の回転数の制御を行うのであり、具体的には、揺動回転数調節ハンドル４１によってエア供給管４２を通して入ってくるエア量を調節するのである。
【００２２】
つぎに固定スプレー揺動装置１の操作について説明する。まず金型台７０のＴ型スロット７１に雌ねじを有するＴ型材７２を圧入する。Ｔ型材７２に固定手段２である固定棒をねじ入れ固定ナット７３で固定することで、雄ねじを備えた固定棒をＴ型材７２の雌ねじと噛み合わせ固定する（図１、図５参照）。これより固定スプレー揺動装置１が金型台７０に取り付けられる。つぎに揺動角調整軸２１による連結片６０の揺動支点位置の調整を、揺動角調整軸２１自体を、その本体２３に設けた偏心したネジ穴を中心として回転位相させることで軸部２２位置を設定し、揺動角調整固定ネジ２４で固定ねじ止めすることで行う。具体的には軸部２２をどの位置に固定するかの調整である。この位置は金型成形面８０の形状によって決定される。つぎに揺動エアモーター１１を電源（不図示）の投入によって駆動されるエア供給源からのエアによって駆動する。この揺動エアモーター１１の回転により、揺動エアモーター１１に連結された駆動軸３１が回転する。すると駆動軸３１の軸部３３も回転軸取付穴３４を中心にして偏心状に回転する。これに伴い軸部３３は連結片６０の長孔６２内でこの長孔６２側を揺動させる往復運動を繰り返し、連結片６０を矢印Ａ方向に揺動させる。連結片６０の支点孔６１には揺動角調整軸２１の軸部２２が位置決めされているため、この軸部２２を支点にして連結片６０が揺動を行う。これにより、連結片６０先端側に取り付けたスプレーノズル５３も揺動する。
【００２３】
本実施の形態では揺動エアモーター１１を用いているので、主たるエア管から分岐配管した供給パイプ５４を経たスプレーノズル５３へのエア供給と、同様に分岐配管したエア供給管４２を経た揺動エアモーター１１へのエア供給とを同時に行う。スプレーノズル５３及び揺動エアモーター１１両者へのエアの供給によりスプレーノズル５３からの離型剤等の噴射と揺動エアモーター１１の駆動とが同期して同時に行われる。
【００２４】
この固定スプレー揺動装置１は金型台７０のＴ型スロット７１に固定されているためその位置から離型剤等を噴射する。スプレーノズル５３から金型成形面８０に向かって噴射された離型剤等は金型成形面８０に塗布される。その際、スプレーノズル５３は一定の範囲で揺動しながら離型剤等を噴射しているので金型成形面８０に塗布される範囲も、この揺動範囲に対応して一定の範囲となる。また塗布すべき金型成形面８０とスプレーノズル５３の距離等の影響によりスプレーノズル５３の揺動速度を調整する必要がある場合には揺動エアモーター１１の回転数を制御する。制御は揺動回転数調整ハンドル４１の開閉により、揺動エアモーター１１の回転数（揺動速度）の増減により行う。以上の操作により金型成形面８０の離型剤等の塗布を行うのであり、このとき、塗布すべき金型成形面８０の他の部位に離型剤を塗布するには例えば揺動角調整軸２１の軸部２２位置を変更すべく揺動角調整固定ネジ２４を弛め、揺動角調整軸２１自体の偏心回転によって揺動支点となる軸部２２位置を設定し、再度揺動角調整固定ネジ２４によってねじ止め固定して調整する。調整後は同様にスプレーノズル５３より離型剤等の塗布が金型成形面８０に行われる。
【００２５】
【発明の効果】
本発明は以上のように構成されているため、金型成形面に離型剤等を塗布するに際し、その塗布範囲を一定の揺動範囲のものとでき、しかも均一化するから、これまで生じていた離型剤等の濃淡、ムラ等に起因する液の垂れ落ちということを防止できる。これより離型剤等の無駄の防止を図れると共に金型成形環境の保全を図れる。特に本発明では単にスプレーノズルを揺動させるだけではなく揺動角調整軸を設けスプレーノズルの揺動支点の位置を移動できるので、離型剤等を塗布すべき金型成形面の形状に合わせて離型剤等の塗布範囲を任意に調整して噴射できる。さらに連結片の先端にスプレーノズルが取り付けられているためスプレーノズルの塗布範囲を連結片の揺動に対応させることができる。その結果、連結片の揺動速度がスプレーノズルの揺動速度になり、連結片の揺動速度を調節すればスプレーノズルの揺動速度も同時に調整できる。
【図面の簡単な説明】
【図１】本発明の実施の一形態である一部切欠の側面図である。
【図２】本発明の実施の一形態である平面図である。
【図３】揺動角調整軸を表し、その（Ａ）は側面図、（Ｂ）は底面図である。
【図４】駆動軸を表し、その（Ａ）は側面図、（Ｂ）は平面図である。
【図５】固定手段による金型台のＴ型スロットヘの取り付けを示す側面図である。
【図６】従来のスプレーノズルからの離型剤等の噴射を示すスプレー装置の断面図である。
【符号の説明】
１…固定スプレー揺動装置              ２…固定手段
３…第１取付孔                        ４…第２取付孔
５…ネジ止め                          ７…固定ベース
１１…揺動エアモーター              １２…回転軸
２１…揺動角調整軸                    ２２…軸部
２３…本体                            ２４…揺動角調整固定ネジ
３１…駆動軸                          ３２…本体
３３…軸部                            ３４…回転軸取付穴
３５…軸止めネジ
４１…揺動回転数調整ハンドル          ４２…エア供給管
５１…スプレーノズル固定棒            ５２…スプレーノズル固定ハンドル
５３…スプレーノズル                  ５４…供給パイプ
６０…連結片                          ６１…支点孔
６２…長孔
７０…金型台                          ７１…Ｔ型スロット
７２…Ｔ型材                          ７３…固定ナット
８０…金型成形面
１０１…金型の固定型                  １０２…金型の可動型
１０３…スプレーノズル                １０４…スプレー装置
１０５…離型剤等
【図１】
0004327327.tif 000002
【図２】
0004327327.tif 000003
【図３】
0004327327.tif 000004
【図４】
0004327327.tif 000005
【図５】
0004327327.tif 000006
【図６】
0004327327.tif 000007